【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
部品装着装置に対し、部品装着ライン構成が異なる複数の種類の基板を投入し、前記基板への部品の装着を行う部品装着方法であって、
前記部品装着装置に設定されている現状の部品装着ライン構成及び前記複数の種類の基板ごとの部品装着ライン構成を特定するステップと、
現状の部品装着ライン構成及び前記複数の種類の基板に適用される部品装着ライン構成の間で部品装着ライン構成を変更する際の作業量を算出するステップと、
算出結果に基づいて前記部品装着装置へ基板の投入順序を特定するステップと、
を有することを特徴とする部品装着方法。
【請求項２】
請求項１記載の部品装着方法であって、
前記部品装着ライン構成の変更は、前記部品装着装置の順序と、装着ヘッドの種類と、部品の供給方法のうち少なくとも一つを変更すること
を特徴とする部品装着方法。
【請求項３】
請求項１または２記載の部品装着方法であって、
前記部品装着装置へ前記複数の種類の基板を投入した場合の前記作業量の合計値が最小となる基板の投入順序を特定すること、
を特徴とする部品装着方法。
【請求項４】
請求項１乃至３いずれか記載の部品装着方法であって、
前記部品装着ラインの構成を特定するステップにおいて、予め指定された基板一枚の生産に係る時間であるサイクルタイムを満たす部品装着ライン構成を特定すること
を特徴とする部品装着方法。
【請求項５】
異なる部品装着ラインを用いて複数の種類の基板を生産する部品装着装置に対する基板の投入順序を特定する装置であって、
前記部品装着装置に設定されている現状の部品装着ライン構成及び前記複数の種類の基板ごとの部品装着ライン構成を特定する手段と、
現状の部品装着ライン構成及び前記複数の種類の基板に適用される部品装着ライン構成の間で部品装着ライン構成を変更する際の作業量を算出する手段と、
算出結果に基づいて前記部品装着装置へ基板の投入順序を特定する手段と、
を有することを特徴とする基板の投入順序を特定する装置。
【請求項６】
請求項５記載の基板の投入順序を特定する装置であって、
前記部品装着ライン構成の変更は、前記部品装着装置の順序と、装着ヘッドの種類と、部品の供給方法のうち少なくとも一つを変更すること
を特徴とする基板の投入順序を特定する装置。
【請求項７】
請求項５または６記載の生産する基板種類の投入順序を特定する装置であって、
前記部品装着装置へ前記複数の種類の基板を投入した場合の前記作業量の合計値が最小となる基板の投入順序を特定すること、
を特徴とする基板の投入順序を特定する装置。
【請求項８】
請求項５乃至７いずれか記載の基板の投入順序を特定する装置であって、
前記部品装着ラインの構成を特定する手段において、予め指定された基板一枚の生産に係る時間であるサイクルタイムを満たす部品装着ライン構成を特定すること
を特徴とする基板の投入順序を特定する装置。
【請求項９】
部品装着ライン構成が異なる複数の種類の基板が投入され、前記基板へ部品の装着を行う部品装着装置と、生産する基板の投入順序を特定する装置と、を有する部品装着システムであって、
前記基板の投入順序を特定する装置は、
前記部品装着装置に設定されている現状の部品装着ライン構成及び前記複数の種類の基板ごとの部品装着ライン構成を特定する手段と、
現状の部品装着ライン構成及び前記複数の種類の基板に適用される部品装着ライン構成の間で部品装着ライン構成を変更する際の作業量を算出する手段と、
算出結果に基づいて前記部品装着装置へ投入する基板の順序を特定する手段と、を有し
前記部品装着装置は、
前記特定された基板の投入順序に基づいて部品の装着を行う手段と、
を有することを特徴とする部品装着システム。
【請求項１０】
請求項９記載の部品装着システムであって、
前記部品装着ライン構成の変更は、前記部品装着装置の順序と、装着ヘッドの種類と、部品の供給方法のうち少なくとも一つを変更すること
を特徴とする部品装着システム。
【請求項１１】
請求項９または１０記載の部品装着システムであって、
前記部品装着装置へ前記複数の種類の基板を投入した場合の前記作業量の合計値が最小となる基板の投入順序を特定すること、
を特徴とする部品装着システム。
【請求項１２】
請求項９乃至１１いずれか記載の部品装着システムであって、
前記部品装着ラインの構成を特定するステップにおいて、予め指定された基板一枚の生産に係る時間であるサイクルタイムを満たす部品装着ライン構成を特定すること
を特徴とする部品装着システム。
【請求項１３】
コンピュータに、異なる部品装着ラインを用いて複数種類の基板を生産する部品装着装置に対する基板の投入順序を特定させるプログラムであって、
前記部品装着装置に設定されている現状の部品装着ライン構成及び前記複数の種類の基板ごとの部品装着ライン構成を特定する手順と、
現状の部品装着ライン構成及び前記複数の種類の基板に適用される部品装着ライン構成の間で部品装着ライン構成を変更する際の作業量を算出する手順と、
算出結果に基づいて前記部品装着装置へ基板の投入順序を特定する手順と、
を有することを特徴とする基板の投入順序を特定させるプログラム。
【請求項１４】
請求項１３記載の基板の投入順序を特定させるプログラムであって、
前記部品装着ライン構成の変更は、前記部品装着装置の順序と、装着ヘッドの種類と、部品の供給方法のうち少なくとも一つを変更すること
を特徴とする基板の投入順序を特定させるプログラム。
【請求項１５】
請求項１３または１４記載の基板の投入順序を特定させるプログラムであって、
前記部品装着装置へ前記複数の種類の基板を投入した場合の前記作業量の合計値が最小となる基板の投入順序を特定すること、
を特徴とする基板の投入順序を特定させるプログラム。
【請求項１６】
請求項１３乃至１５いずれか記載の基板の投入順序を特定させるプログラムであって、
前記部品装着ラインの構成を特定するステップにおいて、予め指定された基板一枚の生産に係る時間であるサイクルタイムを満たす部品装着ライン構成を特定すること
を特徴とする基板の投入順序を特定させるプログラム。
【請求項１７】
部品装着ライン構成が異なる複数の種類の基板を投入され、前記基板への部品の装着を行うための部品装着装置と、生産する基板の投入順序を特定する装置と、を有する部品装着システムであって、
前記基板の投入順序を特定する装置は、
前記複数の種類の基板ごとの部品装着ライン構成を特定する手段と、
前記生産計画において特定される前記基板の順序に従って基板を部品装着ラインに投入した場合に要する部品装着ライン構成の変更作業時間よりも、部品装着ライン構成の変更作業時間がより短くなるように前記複数の種類の基板の前記部品装着装置への投入順序を特定する手段と、を有し、
前記部品装着装置は、
前記特定された基板の投入順序に基づいて部品の装着を行う手段と、
を有することを特徴とする部品装着システム。
【請求項１８】
請求項１７記載の部品装着システムであって、
前記部品装着ライン構成の変更は、前記部品装着装置の順序と、装着ヘッドの種類と、部品の供給方法のうち少なくとも一つを変更すること
から構成されることを特徴とする部品装着システム。
【請求項１９】
請求項１７または１８記載の部品装着システムであって、
前記部品装着ライン構成の変更作業時間は、前記装着装置の着脱時間と、前記装着ヘッドの交換時間と、前記部品の供給方法の種類の変更時間のいずれか一つ以上と、
から算出されることを特徴とする部品装着システム。
【請求項２０】
請求項１７乃至１９いずれか記載の部品装着システムであって、
前記部品装着ラインの構成を特定する手段において、予め指定された基板一枚の生産に係る時間であるサイクルタイムを満たす部品装着ライン構成を特定すること
を特徴とする部品装着システム。
【請求項２１】
コンピュータに、異なる部品装着ラインを用いて複数種類の基板を生産する部品装着装置に対する基板の投入順序を特定させるプログラムであって、
前記複数の種類の基板ごとの部品装着ライン構成を特定する手順と、
前記生産計画において特定される前記基板の順序に従って基板を部品装着ラインに投入した場合に要する部品装着ライン構成の変更作業時間よりも、部品装着ライン構成の変更作業時間がより短くなるように前記複数の種類の基板の前記部品装着装置への投入順序を特定する手順と
を有することを特徴とする基板の投入順序を特定させるプログラム。
【請求項２２】
請求項２１記載の基板の投入順序を特定させるプログラムであって、
前記部品装着ライン構成の変更は、前記部品装着装置の順序と、装着ヘッドの種類と、部品の供給方法のうち少なくとも一つを変更すること
から構成されることを特徴とする基板の投入順序を特定させるプログラム。
【請求項２３】
請求項２１または２２記載の基板の投入順序を特定させるプログラムであって、
前記部品装着ライン構成の変更作業時間は、前記装着装置の着脱時間と、前記装着ヘッドの交換時間と、前記部品の供給方法の種類の変更時間のいずれか一つ以上と、
から算出されることを特徴とする基板の投入順序を特定させるプログラム。
【請求項２４】
請求項２１乃至２３いずれか記載の基板の投入順序を特定させるプログラムであって、
前記部品装着ラインの構成を特定する手段において、予め指定された基板一枚の生産に係る時間であるサイクルタイムを満たす部品装着ライン構成を特定すること
を特徴とする基板の投入順序を特定させるプログラム。
【手続補正２】
【補正対象書類名】明細書
【補正対象項目名】発明の名称
【補正方法】変更
【補正の内容】
【発明の名称】  部品装着方法、部品装着システム、基板の投入順序を特定する装置及び基板の投入順序を特定させるプログラム
【手続補正３】
【補正対象書類名】明細書
【補正対象項目名】０００７
【補正方法】変更
【補正の内容】
【０００７】
以上の課題を解決するため、本発明は、複数の基板を生産する部品装着装置への基板投入順序を特定する。
【手続補正４】
【補正対象書類名】明細書
【補正対象項目名】０００８
【補正方法】変更
【補正の内容】
【０００８】
例えば、本発明は、部品装着装置に対し、部品装着ライン構成が異なる複数の種類の基板を投入し、基板への部品の装着を行う部品装着方法であって、部品装着装置に設定されている現状の部品装着ライン構成及び複数の種類の基板ごとの部品装着ライン構成を特定するステップと、現状の部品装着ライン構成及び複数の種類の基板に適用される部品装着ライン構成の間で部品装着ライン構成を変更する際の作業量を算出するステップと、算出結果に基づいて部品装着装置へ基板の投入順序を特定するステップと、を有することを特徴とする。
【手続補正５】
【補正対象書類名】明細書
【補正対象項目名】０００９
【補正方法】変更
【補正の内容】
【０００９】
以上のように、本発明によれば、複数の基板を生産する部品装着装置への基板投入順序を特定することができる。